(57)【要約】【課題】簡単な操作により常時略定量の液の噴出が可能であるとともに、噴出液を空気と混合して眼に対する刺激の少ない、和らいだ霧状に噴出することができ、しかも取り扱いも便利な洗眼容器を提案するものである。【解決手段】計量用筒５を備えた計量室Ｒ上に、噴出口１８に至る液流路ａに途中で空気流路ｂを合流させたノズル４を有する計量注出栓Ｂを備え、この計量注出栓Ｂは、固定部Ｂ１  と回転部Ｂ２  とで構成し、回転部を固定部に対して回動することにより上記液流路，空気流路の閉塞、開放の切り換えを可能に構成した。。【選択図】図１
2005021254.tif 000002
【特許請求の範囲】
【請求項１】
圧搾可能な胴部２より口頸部３を起立した容器体Ａと、該容器体上に嵌着固定するとともに、上面よりノズル４を立設した計量注出栓Ｂと、上記計量注出栓Ｂ上に着脱可能に嵌合させた洗眼カップＣとを備えた洗眼容器であって、上記計量注出栓Ｂは、上記口頸部３の上端開口を液密に閉塞して嵌着固定し且つ内部に画成した計量室Ｒ内へ立設した計量用筒５により上記容器体内と上記計量室内とを連通した固定部Ｂ１  及び該固定部上に回転可能に装着した回転部Ｂ２  とで構成するとともに、上記計量室下端部より上記ノズル先端の噴出口１８に至る液流路ａ及び上記計量室の頂面に下端を開口して上記液流路に中途で合流する空気流路ｂを備え、且つ、上記固定部に対する上記回転部の回転により各流路の閉塞，開放の切り換えを可能に構成したことを特徴とする洗眼容器。
【請求項２】
上記各流路の閉塞，開放の切り換えが、上記液流路及び上記空気流路の閉状態，上記液流路又は上記空気流路の一方の全開状態及び他方の半開状態，上記液流路の全開及び上記空気流路の全開状態，の三段切り換えである請求項１記載の洗眼容器。
【請求項３】
上記各流路の閉塞，開放の切り換えが、上記液流路及び上記空気流路の閉状態，上記液流路の全開及び上記空気流路の閉状態，上記液流路又は上記空気流路の一方の全開及び他方の半開状態，上記液流路の全開及び上記空気流路の全開状態，の四段切り換えである請求項１記載の洗眼容器。
【請求項４】
上記各流路の合流点に於いて、上記液流路ａ周囲に上記空気流路ｂを開口させてなる請求項１記載の洗眼容器。
【発明の詳細な説明】
【０００１】
【発明の属する技術分野】
本発明は洗眼容器に関する。
【０００２】
【従来の技術】
洗眼容器として、液を収納した容器体の口部に洗眼部材を装着したものが一般に知られている（例えば、特許文献１参照）。
【０００３】
上記洗眼容器は、眼を覆うよう眼の周囲に密着させる口部を備えた洗眼容器と、洗眼液の吸入及び洗眼液の洗眼容器内への注入を行いえるよう洗眼容器に連通して備えられる液用容器とから構成している。そして、洗眼容器に適量の洗眼液を注ぎ、空気を抜くよう液用容器の側部を押圧した後、液用容器の弾性力により元の形状に復元させ、洗眼容器から洗眼液を液用容器内に吸引する。次に顔を下方に向けた状態で洗顔容器の口部の最も高くなった上向き側部を目尻側、他方に位置する口部の上向き側部を鼻側に向けて洗眼容器が片側の眼を覆うよう口部を眼の周囲に密着させる。続いて液用容器の側部を押圧して洗眼容器内に眼が浸るまで洗眼液を注入し、洗眼容器内を洗眼液で満たす。洗眼容器内を洗眼液で満たした後、所定時間、瞬きを繰り返すか眼を見開いて洗浄する。
【０００４】
【特許文献１】
特開２０００−２０１９９６号公報（第２−４頁，図１）
【０００５】
【発明が解決しようとする課題】
上記のように従来のこの種容器は、液用容器の胴部圧搾により洗浄液を噴出しているため、洗浄液の量が圧搾力の相違や収納残液の量によりまちまちとなる傾向がある。また、液が棒状に勢い良く飛び出すため、眼に対する刺激が比較的大きい傾向がある。
【０００６】
本発明は上記した点に鑑みてなされたもので、簡単な操作により常時略定量の液の噴出が可能であるとともに、噴出液を空気と混合して眼に対する刺激の少ない和らいだ霧状に噴出することができ、しかも取り扱いも便利な洗眼容器を提案するものである。
【０００７】
【課題を解決するための手段】
本請求項１発明の洗眼容器は上記課題を解決するため、圧搾可能な胴部２より口頸部３を起立した容器体Ａと、該容器体上に嵌着固定するとともに、上面よりノズル４を立設した計量注出栓Ｂと、上記計量注出栓Ｂ上に着脱可能に嵌合させた洗眼カップＣとを備えた洗眼容器であって、上記計量注出栓Ｂは、上記口頸部３の上端開口を液密に閉塞して嵌着固定し且つ内部に画成した計量室Ｒ内へ立設した計量用筒５により上記容器体内と上記計量室内とを連通した固定部Ｂ１  及び該固定部上に回転可能に装着した回転部Ｂ２  とで構成するとともに、上記計量室下端部より上記ノズル先端の噴出口１８に至る液流路ａ及び上記計量室の頂面に下端を開口して上記液流路に中途で合流する空気流路ｂを備え、且つ、上記固定部に対する上記回転部の回転により各流路の閉塞，開放の切り換えを可能に構成したことを特徴とする洗眼容器として構成した。
【０００８】
また、請求項２発明の容器は、上記各流路の閉塞，開放の切り換えが、上記液流路及び上記空気流路の閉状態，上記液流路又は上記空気流路の一方の全開状態及び他方の半開状態，上記液流路の全開及び上記空気流路の全開状態，の三段切り換えである請求項１記載の洗眼容器として構成した。
【０００９】
また、請求項３発明の容器は、上記各流路の閉塞，開放の切り換えが、上記液流路及び上記空気流路の閉状態，上記液流路の全開及び上記空気流路の閉状態，上記液流路又は上記空気流路の一方の全開及び他方の半開状態，上記液流路の全開及び上記空気流路の全開状態，の四段切り換えである請求項１記載の洗眼容器として構成した。
【００１０】
また、請求項４発明の容器は、上記各流路の合流点に於いて、上記液流路ａ周囲に上記空気流路ｂを開口させてなる請求項１記載の洗眼容器として構成した。
【００１１】
【発明の実施の形態】
以下、本発明の実施例の形態を図面を参照して説明する。
【００１２】
図面に示す如く本発明の洗眼容器１は、眼に収納液を噴射させて洗浄するためのものであり、容器体Ａと、計量注出栓Ｂと、洗眼カップＣとを備えている。
【００１３】
容器体Ａは合成樹脂等により形成されたもので、圧搾可能な胴部２より口頸部３を起立して構成している。
【００１４】
計量注出栓Ｂも合成樹脂等により形成されたもので、上記容器体Ａ上に液密に嵌着固定するとともに、上面より液噴出用のノズル４を立設している。また、計量注出栓Ｂは、容器体Ａに回動を防止して固定した固定部Ｂ１  と、該固定部Ｂ１  上に回転可能に装着した回転部Ｂ２  とから構成している。
【００１５】
固定部Ｂ１  は、上記口頸部３の上端開口を閉塞して液密に嵌着固定するとともに、内部に画成した計量室Ｒ内ヘ立設した計量用筒５により容器体内と計量室内とを連通し、且つ、計量室Ｒの頂面よりその下端部に至る通液管６を垂設している。
【００１６】
図１に示す実施例於いて固定部Ｂ１  は、底壁７の周縁部より周壁８を立設するとともに、周壁８上端縁より頂壁９を延設したケーシングの内部に上記計量室Ｒを画成しており、底壁７下面周縁部を容器体口頸部３上面に載置させるとともに、底壁下面周縁部より垂設したシール筒１０を口頸部３内面上端部に液密に嵌合させ、また、周壁８外周下部よりフランジを介して下方へ突設した装着筒１１を口頸部３外周に螺着させて容器体Ａに回動を防止して装着している。
【００１７】
また、底壁７の偏心位置に下端を開口した所定の高さの上記計量用筒５を立設している。この計量用筒５は計量室Ｒ内に所定量の液を計量するためのもので、容器を倒立した後正立させた際に、その周囲の計量室内にその高さの一定量の液が残る如く構成したものである。
【００１８】
また、頂壁９上面中央には後述する液流路及び空気流路、各流路の切り換え機構を成形するための棒状突起１２及びその周囲に支持筒１３を立設し、棒状突起１２の上端両側にはそれぞれ液流路を形成するための第１液用凹溝１４及び空気流路を形成するための第１空気用凹溝１５を凹設している。更に、棒状突起１２及び支持筒１３間の頂壁９に上記通液管６内に連通する液用透孔１６を穿設するとともに、計量室Ｒ内と連通する空気用透孔１７を穿設している。各透孔は上記第１液用凹溝１４と第１空気用凹溝１５との上下対向位置に同中心角の円弧状に設けている。
【００１９】
また、回転部Ｂ２  は、固定部Ｂ１  上に回転可能に装着するとともに、上記通液管６内を通り噴出口１８に至る液流路ａに上記計量室Ｒ頂面に下端を開口した空気流路ｂを中間部で互いに合流させた内部構造の上記ノズル４を上記固定部Ｂ１  とで画成し、更に、固定部Ｂ１  に対する回転により各流路の閉塞，開放の切り換えを可能に構成している。
【００２０】
図１に示す実施例於いて回転部Ｂ２  は、固定部周壁８に回動可能に嵌合させた周壁部１９の上端縁より固定部頂壁９上を摺動可能に延設したフランジ状の頂板部２０を延設し、該頂板部２０の内周縁より上記支持筒１３外周に回動可能に起立する起立筒部２１を延設し、更に、この起立筒部２１上端より内方へ延設したフランジ２２内周縁部に注出筒２３外面を連結している。この注出筒２３は、下面を固定部Ｂ１  のケーシング頂壁９上面に密接して下部を上記棒状突起１２と支持筒１３との間に摺動可能に嵌合させるとともに、上部をフランジ上方に突設した筒状をなし、内面に第２液用凹溝２４及び第２空気用凹溝２５を横設している。そして、これら固定部Ｂ１  の棒状突起１２、支持筒１３，回転部Ｂ２  の注出筒２３等によりノズル４の内部構造を構成している。
【００２１】
第２液用凹溝２４及び第２空気用凹溝２５は下端を注出筒２３下面に開口し、上端をそれぞれ上記各第１液用凹溝１４及び第１空気用凹溝１５の下部と連通する位置まで縦設したものであり、また、それぞれ周方向の所定位置に縦設している。各第２液用凹溝２４及び第２空気用凹溝２５の縦設位置は種々採用できるが、固定部Ｂ１  に対して回転部Ｂ２  を回転させることにより、少なくとも、液流路ａ及び空気流路ｂの閉状態と、液流路ａ及び空気流路ｂの全開状態とを切り換え可能な如くに縦設する必要があり、その他、液流路ａ及び空気流路ｂの閉状態、液流路ａ又は空気流路ｂの一方の全開状態及び他方の半開状態（即ち、液流路ａの全開状態及び空気流路ｂの半開状態、又は、液流路ａの半開状態及び空気流路ｂの全開状態）、液流路ａの全開状態及び空気流路ｂの全開状態の三段切り換えが可能な形態、或いは、液流路ａ及び空気流路ｂの閉状態、液流路ａの全開状態及び空気流路ｂの閉状態、液流路ａ又は空気流路ｂの一方の全開状態及び他方の半開状態（即ち、液流路ａの全開状態及び空気流路ｂの半開状態、又は、液流路ａの半開状態及び空気流路ｂの全開状態）液流路ａの全開状態及び空気流路ｂの全開状態の四段切り換えが可能な形態に縦設することができる。この場合、その形態により第１液用凹溝１４，第１空気用凹溝１５，第２液用凹溝２４，第２空気用凹溝２５の位置や幅等をそれぞれ調整する。
【００２２】
図示例のものは、上記四段切り換えを可能に構成したものであり、図５（イ）に示す如く、第２液用凹溝２４が第１液用凹溝１４に全開し、第２空気用凹溝２５が第２空気用凹溝２５に全開する位置と、図５（ロ）に示す如く、第２液用凹溝２４が第１液用凹溝１４に全開し、第２空気用凹溝２５が第１空気用凹溝１５に半開状態の位置と、図５（ハ）に示す如く、第２液用凹溝２４が第２液用凹溝２４に全開し、第２空気用凹溝２５と第１空気用凹溝が非連通の位置と、図５（ニ）に示す如く、第２液用凹溝２４及び第２空気用凹溝２５がそれぞれ第１液用凹溝１４及び第１空気用凹溝１５と非連通の位置への回動による切り換えが可能に構成している。尚、上記（イ）〜（ニ）はそれぞれが図１〜図４の縦断面図と対応している。
【００２３】
また、本発明では、各状態の切り換えを目視できる表示機能を設けても良い。例えば図６に示す如く、固定部Ｂ１  の装着筒１１外周に閉，液，粗霧，細霧の状態表示２６を、また、回転部Ｂ２  の周壁部１９外周所定位置に三角マーク等の指示記号２７を印刷等の適宜手段により設けることにより、容易な切り換えが可能となる。
【００２４】
洗眼カップＣは、上記ノズル４に液の噴出が可能に嵌着したカバー筒部２８を底部に起立して上記計量注出栓Ｂ上に着脱可能に嵌合させている。図示例では、ノズル４外周を被覆して上端内周相互を液密且つ着脱可能に嵌合せた上端開口のカバー筒部２８を底板２９中央より起立させるとともに、底板２９周縁部より周壁３０を起立して構成している。また、カバー筒部２８の周囲は洗浄液の液溜め部として構成している。
【００２５】
上記の如く構成した洗眼容器を使用する場合について説明すると、例えば図１の状態から容器を倒立させて図７（ａ）に示す如く、計量室Ｒ内に液を導入した後、再び正立させて図７（ｂ）に示す如く、計量用筒５の高さ以上の液を容器体Ａ内に戻し、所定量の液を計量室Ｒ内に計量する。次いで、図７（ｃ）に示す如く洗眼カップＣの噴出口１８上方に眼３１を位置させて胴部２を圧搾すると、液面を加圧された液が通液管６下端から液流路ａを通り、また、計量室Ｒ内上部の空気が空気流路ｂを通り合流点で合流して注出筒２３内を通り噴出口１８より霧状に噴出され、洗眼することができる。洗眼液はカバー筒部２８周囲の液溜め部に溜まり、洗眼後に廃棄する。また、必要があれば計量注出栓Ｂから洗眼カップＣを取り外して洗眼することができる。また、回転体を図２の位置まで回転していけば粗い霧状の噴出が、図３の位置まで回転すれば液のみが噴出でき、図４の位置まで回転すれば閉塞する。
【００２６】
図８乃至図１０は本発明の他の実施例を示すものであり、本実施例では上記各流路の合流点に於いて、上記液流路ａの周囲に上記空気流路ｂを開口させた例を示すものである。
【００２７】
本実施例於いて固定部Ｂ１  は、ケーシング頂壁９上面中央に棒状突起１２を立設するとともにその周囲に支持筒１３を立設し、更にその周囲に短丈の外支持筒３２を立設し、また、棒状突起１２の上端両側にはそれぞれ液流路を形成するための一対の第１液用凹溝１４を凹設し、支持筒１３の外周上端部には空気流路を形成するための一対の第１空気用凹溝１５を凹設している。更に、棒状突起１２及び支持筒１３間の頂壁９に上記通液管６内に連通する液用透孔１６を穿設するとともに、支持筒１３及び外支持筒３２間の頂壁９に計量室Ｒ内と連通する空気用透孔１７を穿設している。
【００２８】
また、回転部Ｂ２  は、固定部周壁８に回動可能に嵌合させた周壁部１９の上端縁より固定部頂壁９上を摺動可能に延設したフランジ状の頂板部２０を延設し、該頂板部２０の内周縁より起立筒部２１を立設している。この起立筒部２１は、内周下端部を上記外支持筒３２外周に気密且つ摺動可能に嵌合させるとともに、縮径した中間部内周面を上記支持筒１３外周に気密且つ摺動可能に嵌合させ、且つ、上端部を支持筒１３上方へ起立してその先端部に噴出口１８を開口している。また、上記棒状突起１２と支持筒１３との間上部に液密且つ摺動可能に嵌合させたシール筒部３３を、その上面と上記起立筒部２１の中間部内面とを連結する周方向複数の連結板３４で連結し、両者が一体に回動する如く構成している。
【００２９】
また、シール筒部３３の内周には、下端より上記第１液用凹溝１４の下部位置まで至る一対の第２液用凹溝２４を縦設しており、起立筒部２１中間部の摺接部分には下端より上記第１空気用凹溝１５の下部位置まで至る第２空気用凹溝２５を縦設している。上記各第１液用凹溝１４は平面視円弧帯状をなし、また、各第２液用凹溝２４は平面視四角形状であり、また、上記各第１空気用凹溝１５及び各第２空気用凹溝２５はそれぞれ平面視幅広の円弧帯状をなしている。
【００３０】
図示例のものは、上記三段切り換えを可能に構成したものであり、図１１（イ）に示す如く、第２液用凹溝２４が第１液用凹溝１４に全開し、第２空気用凹溝２５が第２空気用凹溝２５に全開する位置と、図１１（ロ）に示す如く、第２液用凹溝２４が第１液用凹溝１４に全開し、第２空気用凹溝２５が第１空気用凹溝１５に半開状態の位置と、図１１（ハ）に示す如く、第２液用凹溝２４及び第２空気用凹溝２５がそれぞれ第１液用凹溝１４及び第１空気用凹溝１５と非連通の位置への回動による切り換えが可能に構成している。
【００３１】
洗眼カップＣは、基本的には図１の実施例と同様であるが、カバー筒部２８の上端よりフランジを介して注出筒２３の内周上端部に嵌合する嵌合筒部３５を延設している。また、操作に関しては図１１に示す三段切り換えが可能であり、また、合流点に於いて液流路ａの周囲に空気流路ｂが開口する以外は上記図１の実施例と基本的には同様である。
【００３２】
【発明の効果】
以上説明した如く本発明の洗眼容器は、簡単な操作により常時略定量の液の噴出が可能であるとともに、噴出液を空気と混合して眼に対する刺激の少ない和らいだ霧状に噴出することができ、しかも取り扱いも便利で使い勝手が良い等の種々の効果を発揮するものである。
【００３３】
また、請求項２発明の容器では、液の噴出路を閉塞して容器が倒れる等があっても液の漏出を防止できる状態を維持できるとともに、簡単な切り換え操作により、粗い霧状及び細かい霧状と、変化に富んだ液の噴出が可能となる。
【００３４】
また、請求項３発明の容器では、液のみの噴出形態が加えられているため、更に変化に富んだ液の噴出が可能となる。
【００３５】
また、請求項４発明の容器では、液の周囲から空気を混合できるため、霧の状態がより均一となる利点を兼ね備えている。
【図面の簡単な説明】
【図１】本発明の一実施例を示す縦断面図である。
【図２】同実施例の回転部を回転させた状態の縦断面図である。
【図３】同実施例の回転部を更に回転させた状態の縦断面図である。
【図４】同実施例の回転部を更に回転させた状態の縦断面図である。
【図５】同実施例に於ける流路の切り換えを説明する説明図である。
【図６】本発明の他の実施例を示す正面図である。
【図７】本発明容器の操作を説明する説明図である。
【図８】本発明の他の実施例を示す縦断面図である。
【図９】同実施例の回転部を回転させた状態の縦断面図である。
【図１０】同実施例の回転部を更に回転させた状態の縦断面図である。
【図１１】同実施例の流路の切り換えを説明する説明図である。
【符号の説明】
２…胴部，３…口頸部，４…ノズル，５…計量用筒，６…通液管，１８…噴出口，Ａ…容器体，Ｂ…計量注出栓，Ｃ…洗眼カップ，ａ…液流路，ｂ…空気流路，
【図１】
2005021254.tif 000003
【図２】
2005021254.tif 000004
【図３】
2005021254.tif 000005
【図４】
2005021254.tif 000006
【図５】
2005021254.tif 000007
【図６】
2005021254.tif 000008
【図７】
2005021254.tif 000009
【図８】
2005021254.tif 000010
【図９】
2005021254.tif 000011
【図１０】
2005021254.tif 000012
【図１１】
2005021254.tif 000013